【手続補正書】
【提出日】平成29年2月23日(2017.2.23)
【手続補正１】
【補正対象書類名】特許請求の範囲
【補正対象項目名】全文
【補正方法】変更
【補正の内容】
【特許請求の範囲】
【請求項１】
カメラを使用して撮影されるビデオコンテンツの少なくとも１つのシーケンスを再生する方法であって、
前記少なくとも１つのシーケンスの前記再生中に、少なくとも１つの制御パラメータを使用して、少なくとも１つのハプティックアクチュエータを制御することであって、前記少なくとも１つの制御パラメータは、前記少なくとも１つのシーケンスを撮影するときに、前記カメラに適用される少なくとも１つのコマンドを表す少なくとも１つの情報から得られる、ことと、
を含む、前記方法。
【請求項２】
前記カメラに適用される前記少なくとも１つのコマンドは、前記カメラに関連付けられた少なくとも１つの運動センサを使用して計測される、請求項１に記載の方法。
【請求項３】
前記少なくとも１つのコマンドは、
前記カメラにより撮影されたシーンに関連付けられた座標系の少なくとも１つの軸に沿った移動のためのコマンド、
前記カメラにより撮影されたシーンに関連付けられた座標系の少なくとも１つの軸の周りの回転のためのコマンド、
前記カメラのズームコマンド
を含むコマンドのグループに属する、請求項1又は２に記載の方法。
【請求項４】
前記カメラに適用される前記少なくとも１つのコマンドの数値は、前記少なくとも１つのハプティックアクチュエータを制御する数値を与える、請求項１ないし３のうちの１つに記載の方法。
【請求項５】
前記カメラに適用される前記少なくとも１つのコマンドを表す前記少なくとも１つの情報から映写効果を決定することをさらに含み、前記少なくとも１つのハプティックアクチュエータの前記少なくとも１つの制御パラメータは、前記決定された映写効果から得られる、請求項１ないし３のうちの１つに記載の方法。
【請求項６】
ビデオコンテンツを再生し前記少なくとも１つのハプティックアクチュエータを制御する装置への前記少なくとも１つのシーケンスの間、前記ビデオコンテンツおよび前記カメラに適用される前記少なくとも１つのコマンドを送信すること
をさらに含み、前記少なくとも１つのハプティックアクチュエータのための前記少なくとも１つの制御パラメータを得ることは、前記装置により実行される、請求項１ないし５のうちの１つに記載の方法。
【請求項７】
ビデオコンテンツを再生し前記少なくとも１つのハプティックアクチュエータを制御する装置に、前記ビデオコンテンツおよび前記少なくとも１つのハプティックアクチュエータのための前記少なくとも１つの制御パラメータを送信することをさらに含む、請求項１ないし５のうちの１つに記載の方法。
【請求項８】
前記少なくとも１つのハプティックアクチュエータのための制御パラメータの複数のグループは、前記少なくとも１つのシーケンスに関連付けられており、パラメータの各グループは、ビデオコンテンツを再生し特定のハプティックアクチュエータを制御する装置に関連付けられている、請求項７に記載の方法。
【請求項９】
前記アクチュエータの数は３つであり、２つのアクチュエータは観察者により各々の手に１つずつ握られるためのものであり、１つは前記観察者の頭部を支持するためのものである、請求項１ないし８のうちの１つに記載の方法。
【請求項１０】
シーケンスの間に映写効果が検出されない場合、前記少なくとも１つのシーケンスに関連付けられた前記少なくとも１つのハプティックアクチュエータの前記少なくとも１つの制御パラメータは、前記少なくとも１つのシーケンスの撮影中に前記カメラに提供される制御値から得られる、請求項１ないし９のうちの１つに記載の方法。
【請求項１１】
カメラを使用して撮影されるビデオコンテンツの少なくとも１つのシーケンスを再生するように構成された装置であって、
前記少なくとも１つのシーケンスの前記再生中に、前記少なくとも１つのシーケンスを撮影するときに、前記カメラに適用される少なくとも１つのコマンドを表す少なくとも１つの情報から得られる、少なくとも１つの制御パラメータを使用して、少なくとも１つのハプティックアクチュエータを制御するように構成された少なくとも１つのプロセッサーを備える、前記装置。
【請求項１２】
前記少なくとも１つのプロセッサーは、前記カメラに適用される前記少なくとも１つのコマンドを表す前記少なくとも１つの情報から映写効果を決定するようにさらに構成され、前記少なくとも１つのハプティックアクチュエータの前記少なくとも１つの制御パラメータは、前記決定された映写効果から得られる、請求項１１に記載の装置。
【請求項１３】
前記少なくとも１つのプロセッサーは、３つのアクチュエータを制御するように構成され、２つのアクチュエータは観察者により各々の手に１つずつ握られるためのものであり、１つは前記観察者の頭部を支持するためのものである、請求項１１ないし１２のうちの１つに記載の装置。
【請求項１４】
コンピュータプログラム製品であって、プログラムがプロセッサーによって実行されると、請求項１ないし１０のうちの１つに記載の方法を実行するための命令を含む、コンピュータプログラム製品。
【手続補正２】
【補正対象書類名】明細書
【補正対象項目名】０１０８
【補正方法】変更
【補正の内容】
【０１０８】
さらに、説明された方法は、１または複数のプロセッサーによって実行される命令の形態で実施され得、そのような命令は、例えば、集積回路、またハードディスク、光ディスク（ＣＤまたはＤＶＤ）、ランダムアクセスメモリ（ＲＡＭ）、不揮発性メモリ（ＲＯＭ）などの任意の記憶デバイスなどの、プロセッサーまたはコンピュータによって読まれ得る媒体上に記憶され得る。命令は、例えば、プロセッサー可読媒体内に記憶されるアプリケーションプログラムを形成する。命令は、例えば、ハードウェア、ファームウェア、またはソフトウェアの形態を取る。
［付記１］
カメラ（１０）を使用して撮影されるビデオコンテンツの少なくとも１つのシーケンスを再生する方法であって、
前記少なくとも１つのシーケンスの撮影中に、前記カメラに適用される少なくとも１つのコマンドから前記少なくとも１つのシーケンスに関連付けられた少なくとも１つのハプティックアクチュエータ（５，６）の少なくとも１つの制御パラメータを計算するステップと、
前記少なくとも１つのシーケンスの前記再生中（１．５）に、前記少なくとも１つの計算された制御パラメータを使用して、前記少なくとも１つのハプティックアクチュエータ（５，６）を制御するステップと、
を含む、前記方法。
［付記２］
前記カメラに適用される前記少なくとも１つのコマンドは、前記カメラに関連付けられた少なくとも１つの運動センサを使用して計測される、付記１に記載の方法。
［付記３］
前記少なくとも１つのコマンドは、
前記カメラにより撮影されたシーンに関連付けられた座標系の少なくとも１つの軸に沿った移動のためのコマンド、
前記カメラにより撮影されたシーンに関連付けられた座標系の少なくとも１つの軸の周りの回転のためのコマンド、
前記カメラのズームコマンド
を含むコマンドのグループに属する、付記1又は２に記載の方法。
［付記４］
前記カメラに適用されるコマンドの数値は、前記少なくとも１つのハプティックアクチュエータ（５，６）を制御する数値を与える、付記１ないし３のうちの１つに記載の方法。
［付記５］
前記カメラ（１０）に適用されるコマンドから映写効果を決定するステップをさらに含み、前記少なくとも１つのハプティックアクチュエータ（５，６）の前記制御パラメータは、前記決定された映写効果から計算される、付記１ないし３のうちの１つに記載の方法。
［付記６］
ビデオコンテンツを再生し前記少なくとも１つのハプティックアクチュエータを制御する装置への前記少なくとも１つのシーケンスの間、前記ビデオコンテンツおよび前記カメラ（１０）に適用される制御値を送信するステップ
をさらに含み、前記少なくとも１つのハプティックアクチュエータのための制御パラメータを計算する処理のステップは、前記装置により実行される、付記１ないし５のうちの１つに記載の方法。
［付記７］
ビデオコンテンツを再生し前記少なくとも１つのハプティックアクチュエータを制御する装置に、前記ビデオコンテンツおよび前記少なくとも１つのハプティックアクチュエータのための制御パラメータを送信するステップをさらに含む、付記１ないし５のうちの１つに記載の方法。
［付記８］
前記少なくとも１つのハプティックアクチュエータのための制御パラメータの複数のグループは、前記少なくとも１つのシーケンスに関連付けられており、パラメータの各グループは、ビデオコンテンツを再生し特定のハプティックアクチュエータを制御する装置に関連付けられている、付記７に記載の方法。
［付記９］
前記アクチュエータの数は３つであり、２つのアクチュエータは観察者により各々の手に１つずつ握られるためのものであり、１つは前記観察者の頭部を支持するためのものである、付記１ないし８のうちの１つに記載の方法。
［付記１０］
シーケンスの間に映写効果が検出されない場合、前記少なくとも１つのシーケンスに関連付けられた前記少なくとも１つのハプティックアクチュエータの前記制御パラメータは、前記少なくとも１つのシーケンスの撮影中に前記カメラに提供される制御値から計算される、付記１ないし９のうちの１つに記載の方法。
［付記１１］
カメラ（１０）を使用して撮影されるビデオコンテンツの少なくとも１つのシーケンスを再生するように構成された装置（１）であって、
前記少なくとも１つのシーケンスの撮影中に、前記カメラに適用される少なくとも１つのコマンドから前記少なくとも１つのシーケンスに関連付けられた少なくとも１つのハプティックアクチュエータの少なくとも１つの制御パラメータを計算し、
前記少なくとも１つのシーケンスの前記再生中に、前記少なくとも１つの計算された制御パラメータを使用して、前記少なくとも１つのハプティックアクチュエータを制御するように構成された少なくとも１つのプロセッサーを備える、前記装置。
［付記１２］
前記少なくとも１つのプロセッサーは、前記カメラ（１０）に適用されるコマンドから映写効果を決定するようにさらに構成され、前記少なくとも１つのハプティックアクチュエータの前記制御パラメータは、前記決定された映写効果から計算される、付記１１に記載の装置。
［付記１３］
前記少なくとも１つのプロセッサーは、３つのアクチュエータを制御するように構成され、２つのアクチュエータは観察者により各々の手に１つずつ握られるためのものであり、１つは前記観察者の頭部を支持するためのものである、付記１１ないし１２のうちの１つに記載の装置。
［付記１４］
コンピュータプログラム製品であって、プログラムがプロセッサーによって実行されると、付記１ないし１０のうちの１つに記載の方法を実行するための命令を含む、コンピュータプログラム製品。